(57)【要約】【課題】どの方向のずり落ちに対しても十分なずり落ち防止を可能とし、外見上目立ちにくく、装着に要する時間が短くてすむショルダーバッグのずり落ち防止具を提供する。【解決手段】このショルダーバッグのずり落ち防止具１は、ワイヤ状をなす第１芯材２ａを主要部材として、身体の頸部に沿うような湾曲部分２１が設けられた頸部掛止部２と、ワイヤ状をなす第２芯材３ａを主要部材として、一端の端部が頸部掛止部２の一端の端部に回動可能に連結し、中間の屈曲部３１から他端まで折り返し部分３２が設けられた、肩掛けベルトを装着するベルト掛止部３と、を備えてなる。【選択図】図１
2011062516.tif 000002
【特許請求の範囲】
【請求項１】
ワイヤ状をなす第１芯材を主要部材として、身体の頸部に沿うような湾曲部分が設けられた頸部掛止部と、
ワイヤ状をなす第２芯材を主要部材として、一端の端部が前記頸部掛止部の一端の端部に回動可能に連結し、中間の屈曲部から他端まで折り返し部分が設けられた、肩掛けベルトを装着するベルト掛止部と、
を備えてなることを特徴とするショルダーバッグのずり落ち防止具。
【発明の詳細な説明】
【技術分野】
【０００１】
本発明は、身体の頸部に装着して用いるショルダーバッグのずり落ち防止具に関する。
【背景技術】
【０００２】
ショルダーバッグは、肩に掛けるための肩掛けベルトを有しており、肩掛けベルトを肩に掛けて歩行するときなどに非常に便利なものである。しかし、肩掛けベルトは、身体の肩の傾斜により、歩いているとずり落ち易いという難点があった。この難点を解決するため、従来より、いくつかの提案がなされている。最も典型的な提案は、特許文献１に示すような滑り止め部材を、肩掛けベルトの肩と接する部分に設けるものである。また、身体の一部に装着して用いるずり落ち防止具も提案されている。例えば、特許文献２に示されたずり落ち防止具は、紐の一端にコの字状の第１フックを連繋し、他端にＶ字状の第２フックに数回巻き廻したゴム紐を連繋し、紐を頸部に掛け第１フックで肩掛けベルトを掛止し第２フックを脇の下に挟むようにしたものである。
【先行技術文献】
【特許文献】
【０００３】
【特許文献１】特開２００６−３３４３５８号公報
【特許文献２】実用新案登録第３０５０４２９号公報
【発明の概要】
【発明が解決しようとする課題】
【０００４】
しかしながら、特許文献１のような滑り止め部材は、摩擦力をそれほど大きくすることができないので、ずり落ち防止の効果が十分でない場合が多い。特許文献２のずり落ち防止具は、肩掛けベルトがずり落ちようとする方向が身体の肩の傾斜にうまく沿っている状態であれば、ずり落ちは防止可能であるが、前後方向のずり落ちを抑制するものではなく、また、一方の肩から他方の肩及び脇の下までわたって装着されるので、機能の割に大きくて外見上目立ち、装着にも時間がかかる。
【０００５】
本発明は、係る事由に鑑みてなされたものであり、その目的は、どの方向のずり落ちに対しても十分なずり落ち防止を可能とし、外見上目立ちにくく、装着に要する時間が短くてすむショルダーバッグのずり落ち防止具を提供することにある。
【課題を解決するための手段】
【０００６】
上記目的を達成するために、請求項１に記載のショルダーバッグのずり落ち防止具は、ワイヤ状をなす第１芯材を主要部材として、身体の頸部に沿うような湾曲部分が設けられた頸部掛止部と、ワイヤ状をなす第２芯材を主要部材として、一端の端部が前記頸部掛止部の一端の端部に回動可能に連結し、中間の屈曲部から他端まで折り返し部分が設けられた、肩掛けベルトを装着するベルト掛止部と、を備えてなることを特徴とする。
【発明の効果】
【０００７】
本発明のショルダーバッグのずり落ち防止具によれば、身体の頸部に沿って頸部掛止部の湾曲部分を配置し、ショルダーバッグの肩掛けベルトをベルト掛止部の屈曲部近傍に配置し、ベルト掛止部を回動させて折り返し部分で肩掛けベルトを押さえることで、ショルダーバッグがどの方向にずり落ちようとしても十分にずり落ちを防止し、また、外見上目立ちにくく、装着に要する時間が非常に短くなることを可能とする。
【図面の簡単な説明】
【０００８】
【図１】本発明の実施形態に係るショルダーバッグのずり落ち防止具１を示すものであって、（ａ）が平面図、（ｂ）が頸部掛止部２の一端近傍の平面視拡大断面図である。
【図２】同上のショルダーバッグのずり落ち防止具１を身体とショルダーバッグに装着する過程を示す説明図であって、（ａ）が装着途中、（ｂ）が装着完了の状態である。
【図３】同上のショルダーバッグのずり落ち防止具１の２個の変形例における頸部掛止部２の一端近傍の平面視拡大断面図である。
【発明を実施するための形態】
【０００９】
以下、本発明を実施するための好ましい形態を図面を参照しながら説明する。本発明の実施形態に係るショルダーバッグのずり落ち防止具１は、身体の頸部に装着する頸部掛止部２と、ショルダーバッグの肩掛けベルトＳＢを装着するベルト掛止部３と、を有して構成されるものである。頸部掛止部２とベルト掛止部３は、図１（ａ）に示すように、ともに細長く、ワイヤ状のものとなっている。
【００１０】
頸部掛止部２は、ワイヤ状をなす第１芯材２ａを主要部材として（図１（ｂ）参照）、身体の頸部に沿うような（この実施形態では平面視半円状の）湾曲部分２１が設けられている。この第１芯材２ａは、使用時に負荷がかかってもこの湾曲部分２１の湾曲形状を保持できる程度に硬いものである。第１芯材２ａは、通常、金属材であり、例えば、直径２〜３ｍｍ程度のメッキが施された鉄製のものとすれば十分な強度を得ることが可能である。また、湾曲部分２１は、例えば、外径１５０ｍｍ程度の半円状とすることができる。
【００１１】
ベルト掛止部３は、ワイヤ状をなす第２芯材３ａを主要部材として（図１（ｂ）参照）、その一端の端部が頸部掛止部２の一端の端部に回動可能に連結し、中間の屈曲部３１から他端まで折り返し部分３２が設けられている。この第２芯材３ａは、使用時に負荷がかかってもこの屈曲部３１の屈曲形状を保持できる程度に硬いものであり、第１芯材２ａと同様の材料を用いることができる。
【００１２】
この実施形態では、ベルト掛止部３の一端の端部を頸部掛止部２の一端の端部に回動可能に連結するために連結部材２２を設けている。すなわち、連結部材２２は、柱状であってその中心軸に沿って貫通した雌ねじ部２２ａｂが形成されている。前述した第１芯材２ａと第２芯材３ａは、それぞれの一端の端部に雄ねじ部２ａａ、３ａａを形成し、連結部材２２の雌ねじ部２２ａｂにそれぞれ螺合させている。第１芯材２ａと連結部材２２とは、雄ねじ部２ａａの全長をほとんど全て螺合させた状態で接着剤や溶接等により固着されている。一方、第２芯材３ａと連結部材２２とは、雄ねじ部３ａａの全長の全ては螺合させない状態、つまり、ベルト掛止部３の一端において第２芯材３ａがその中心軸のまわりを両方向（右回りと左回り）に回動可能な状態となっている。このような連結部材２２を用いると、比較的細い第１芯材２ａ及び第２芯材３ａを用いることができ、また、後述の被覆材２ｂ、３ｂを設けた場合に、頸部掛止部２の湾曲部分２１の線の太さ及びベルト掛止部３の線の太さと、連結部材２２の太さ（外径）と、を同じくらいとすることができる。また、第１芯材２ａと連結部材２２とは、雄ねじ部と雌ねじ部を用いず単に固着することも可能であるが、上記のように雄ねじ部と雌ねじ部を用いると強固な固着となる。
【００１３】
また、この実施形態では、頸部掛止部２の第１芯材２ａの周囲に第１芯材２ａよりも柔らかい被覆材２ｂを設け、ベルト掛止部３の第２芯材３ａの周囲に第２芯材３ａよりも柔らかい被覆材３ｂを設けている（図１（ｂ）参照）。また、頸部掛止部２の他端の端部に第１芯材２ａよりも柔らかい端部保護部材２３を取り付け、ベルト掛止部３の他端の端部に第２芯材３ａよりも柔らかい端部保護部材３３を取り付けている（図１（ａ）参照）。被覆材２ｂ、３ｂや端部保護部材２３、３３は、例えば、ビニール樹脂製などのものを用いることができ、身体或いは他の物に接触した場合に衝撃を和らげたり、ずり落ち防止具１自体の美観を良くしたりすることができ、また、第１芯材２ａ及び第２芯材３ａが金属材の場合、金属アレルギーの人或いは金属に敏感な人にとっては非常に有用なものとなる。
【００１４】
このようなショルダーバッグのずり落ち防止具１は、図２（ａ）に示すように、身体の頸部に沿って頸部掛止部２の湾曲部分２１を配置し、ショルダーバッグの肩掛けベルトＳＢをベルト掛止部３の屈曲部３１近傍に配置する。そして、ベルト掛止部３の一端のその中心軸のまわりを回動させ、図２（ｂ）に示すように、折り返し部分３２で肩掛けベルトＳＢを押さえるようにして装着する。こうすると、肩掛けベルトＳＢが身体の肩の傾斜に沿った方向や前後方向のどの方向にずれようとしても、ずり落ち防止具１に固定され、また、ずり落ち防止具１の頸部掛止部２は、その一端がどの方向に動いても身体の頸部に掛って止められる。よって、ショルダーバッグの肩掛けベルトＳＢがどの方向にずり落ちようとしても十分にずり落ちを防止することができるのである。
【００１５】
また、ずり落ち防止具１は、装着したときに身体の頸部まわりに有るだけであり、かつ、肩掛けベルトＳＢを押さえる折り返し部分３２を含めて身体の表面から立ち上がる部分を有さないので、外見上目立ちにくいものとなる。襟付き服（図２において襟近傍を破線で示す。）では、更に、頸部掛止部２の湾曲部分２１の大部分を襟の内側に隠すことができる。また、上述のように簡単に装着できるので、装着に要する時間が非常に短くてすむ。また、使用する側の肩に応じてベルト掛止部３を回動させて肩掛けベルトＳＢを押さえることができるので、左右の両方の肩で同じように使用できる。また、ずり落ち防止具１は、さほど重いものではなく、例えば、３０グラム程度とすることができる。
【００１６】
以上、本発明の実施形態に係るショルダーバッグのずり落ち防止具について説明したが、本発明は、上述の実施形態に記載したものに限られることなく、特許請求の範囲に記載した事項の範囲内でのさまざまな設計変更が可能である。例えば、連結部材２２を特に設けないようにすることも可能である。この場合、頸部掛止部２とベルト掛止部３が太くなり易いが、図３（ａ）に示すように、第１芯材２ａに雌ねじ部２ａｂを形成し、第２芯材３ａに形成した雄ねじ部３ａａを螺合させる。なお、第２芯材３ａに雌ねじ部を形成し、第１芯材２ａに形成した雄ねじ部を螺合させてもよい。また、場合によっては、ベルト掛止部３を頸部掛止部２に対して回動可能にするのに、雄ねじ部と雌ねじ部を用いないことも可能である。その場合、例えば、図３（ｂ）に示すように、ベルト掛止部３の雄ねじ部３ａａのかわりに、先端部が膨らんだ突起３ａａ’を設け、それが容易には抜けないように封鎖部２ｂｂ’を被覆材２ｂに接着して内方に設けるなどの方法が可能である。また、場合によっては、被覆材２ｂ、３ｂや端部保護部材２３、３３の省略も可能である。
【符号の説明】
【００１７】
１    ショルダーバッグのずり落ち防止具
２    頸部掛止部
２ａ  第１芯材
２１  湾曲部分
３    ベルト掛止部
３ａ  第２芯材
３１  屈曲部
３２  折り返し部分
ＳＢ  ショルダーバッグの肩掛けベルト
【図１】
2011062516.tif 000003
【図２】
2011062516.tif 000004
【図３】
2011062516.tif 000005